(57)【要約】【課題】パソコン不使用時のキーボードについてはデスク上にはないほうがよい。そのため、空中保持式のキーボードスタンドで課題は解決されているが、空中保持式のキーボードスタンドをモニター装置のフレームに備え付けるのが困難な場合の解決方法が必要であり、キーボードスタンドが小さければキーボード保管のスペースは小さくて済む。また、コンパクトに保管できれば便利であり、不使用時に他の用途で利用できれば、かえって重宝である。また外観上優れた点があればデザイン的価値が生じる。さらに、キーボードがモニター装置の画面に衝突しない仕組みが必要となる。【解決手段】２個の同一体を１組として使用される小型で簡素なコンピュータ用のキーボードスタンドであり、２個のキーボードスタンドが嵌合したとき、全体が１個の直角柱または円柱を生成する。キーボードにはモニター画面衝突防止用の突起を備える。【選択図】図４
2014049064.tif 000002
【特許請求の範囲】
【請求項１】
コンピュータ用のキーボードをモニター装置の前面にもたせ掛ける２個の同一体を１組として使用されるキーボードスタンドであり、前記キーボードスタンドのキーボードを据え置く据置面に傾斜がつけられており、下部面に対応して水平または据置面とは逆傾斜となっている上部面にせり出し防止部を備え、水平または据置面とは逆傾斜となっている前記下部面に前記せり出し防止部を嵌合する収納穴を備え、一方のキーボードスタンドの前記せり出し防止部が他方のキーボードスタンドの前記収納穴に、同時に他方のキーボードスタンドの前記せり出し防止部が一方のキーボードスタンドの前記収納穴に嵌合するように前記せり出し防止部と前記収納穴が配置され、２個の前記キーボードスタンドが嵌合したとき、全体が１個の直角柱または円柱を生成することを特徴とするキーボードスタンド。
【請求項２】
キーボードのキーによるモニター装置の画面衝突防止を目的とした、キー入力で支障の少ないキーボード本体の左右の縁やカーソルキーの周辺に、キーの高さを越える高さの表面が柔らかな衝突防止突起を備えたことを特徴とする請求項１で用いられるキーボード。
【発明の詳細な説明】
【技術分野】
【０００１】
コンピュータ用のキーボードスタンドに関する
【背景技術】
【０００２】
従来、キーボードの収納具に関する技術が開示されている（例えば、特許文献１を参照。）。この方法は収納支持具によりキーボードを収納する。
【０００３】
特許文献１によれば、２個の収納支持具によりキーボードを直立状態でモニター装置の前面で収納することで本願発明と類似する。
【０００４】
本願発明は、モニター装置のスタンドの底面の左右の先端、またはデスク上に直置きされるキーボードスタンドであり、使用しないときは嵌合して保管することができる点で異なる。
【０００５】
特許文献２によれば、キーボードを支持板を用いて直立させる事で本願発明と類似する。
【０００６】
本願発明は、移動可能な２個を１組とするキーボードスタンドであり、定常的に設置されたケースから引き出して用いる方式でない点で異なる。
【０００７】
特許文献３によれば、２個のキーボードスタンドを用いてキーボードを倒立させることで類似する。
【０００８】
本願発明は、せり出し防止部と傾斜した据置面とでキーボードをモニター装置の前面にもたせ掛けて保持する点と嵌合して２個を一体化できる点で異なる。
【０００９】
特許文献４によれば、キーボードを倒立させて傾斜角をつけて保管することで類似する。
【００１０】
本願発明は、形体、落下防止策の実施、特定していない倒立角度を点で異なる。
【先行技術文献】
【特許文献】
【００１１】
【特許文献１】特願２０１１−９７００２
【特許文献２】特開２００４−２１９６７
【特許文献３】特開２００２−２７８６７６
【特許文献４】特開平８−３１４５７５
【発明の概要】
【発明が解決しようとする課題】
【００１２】
パソコン不使用時のキーボードについてはデスク上にはないほうがよい。そのため、空中保持式のキーボードスタンドで課題は解決されているが、空中保持式のキーボードスタンドをモニター装置のフレームに備え付けるのが困難な場合の解決方法が必要である。
【００１３】
キーボードスタンドが充分小さく、モニター装置のスタンドの底板上の左右の先端に設置できたら、キーボードの収納スペースを新たに必要とせず実質的に空中保管と同様の効果を発揮できる。
【００１４】
モニター装置のスタンドの底板の大きさ、形状によりその上にキーボードスタンドを設置できないとしても小型のキーボードスタンドであればデスク上のキーボード保管のスペースは小さくて済む。
【００１５】
また、キーボードをモニター装置の前面に安定してもたせ掛けて保持できれば、キーボードを自立させておく必要がなく簡素な仕組みを提供できる。
【００１６】
キーボードスタンドはその不使用時にはデスク上の不要物になるため、コンパクトにかたづけられると便利である。
【００１７】
キーボードスタンドがその不使用時に他の用途で利用できれば、かえって重宝である。
【００１８】
キーボードスタンドがその不使用時に外観上優れていればデザイン的価値が生じる。
【００１９】
モニター装置の画面の横幅がキーボードの横幅よりも狭ければキーボードをもたせ掛けたときモニター装置の外枠がキーボードを支えるため、キーボードがモニターの画面を傷つけることはない。しかしモニター装置が大型であり、外枠がキーボードを支えられないときは、キーボードがモニター装置の画面に直接当たらないような仕組みが必要となる。
【００２０】
本願発明は、上記課題を一括して解決できる方法を提供することを目的としている。
【課題を解決するための手段】
【００２１】
上記課題を解決するために、請求項１の発明は、コンピュータ用のキーボードをモニター装置の前面にもたせ掛ける２個の同一体を１組として使用されるキーボードスタンドであり、前記キーボードスタンドのキーボードを据え置く据置面に傾斜がつけられており、下部面に対応して水平または据置面とは逆傾斜となっている上部面にせり出し防止部を備え、水平または据置面とは逆傾斜となっている前記下部面に前記せり出し防止部を嵌合する収納穴を備え、一方のキーボードスタンドの前記せり出し防止部が他方のキーボードスタンドの前記収納穴に、同時に他方のキーボードスタンドの前記せり出し防止部が一方のキーボードスタンドの前記収納穴に嵌合するように前記せり出し防止部と前記収納穴が配置され、２個の前記キーボードスタンドが嵌合したとき、全体が１個の直角柱または円柱を生成することを要旨とする。
【００２２】
上記課題を解決するために、請求項２の発明は、請求項１で用いられるキーボードであり、キーボードのキーによるモニター装置の画面衝突防止を目的とした、キー入力で支障の少ないキーボード本体の左右の縁やカーソルキーの周辺に、キーの高さを越える高さの表面が柔らかな衝突防止突起を備えたことを要旨とする。
【発明の効果】
【００２３】
傾斜角をつけることによるキーボードの安定的な保持とキーボードスタンドからの落下防止を図った、省スペースのもたせ掛け倒立方式によるキーボード保持を実現できる。
【００２４】
キーボードスタンドの不使用時には、嵌合による一体コンパクト化、すっきりした形状デザインの生成、他の卓上文具への転用を実現できる。
【００２５】
キーボードの横幅より広い画面を持つモニター装置を相手方とするときでも、画面を傷つけずにキーボードのもたせ掛け保持を実現できる。
【図面の簡単な説明】
【００２６】
【図１】キーボードスタンドの上面図
【図２】キーボードスタンドの側面図
【図３】キーボードスタンドの斜視図
【図４】キーボードスタンドの斜視図
【図５】キーボードスタンド嵌合状態の斜視図
【図６】キーボードのもたせ掛け倒立状態を示す正面図
【図７】キーボードのもたせ掛け倒立状態を示す側面図
【図８】衝撃防止突起を示すキーボードの上面図
【発明を実施するための形態】
【００２７】
図１は嵌合式キーボードスタンドの上面図である。２個１組のキーボードスタンドが嵌合できるようにせり出し防止部２０と収納穴３０は左右対称の位置に形状、大きさを対応させて備えている。
【００２８】
図２は嵌合式キーボードスタンドの側面図である。据置面４０は傾斜しており、上部面４１と下部面４２は水平となっている。
【００２９】
図３は嵌合式キーボードスタンドの側面図である。上部面４１と下部面４２は据置面４０と逆に傾斜している。
【００３０】
図４は嵌合式キーボードスタンドの斜視図である。
【００３１】
図５は２個の嵌合式キーボードスタンドが嵌合して一体化した状態を示す斜視図である。この図では立方体を生成しているが、直方体などの直角柱や円柱とすることができる。また、一体化した状態がすっきりとしたデザインで、かつコンパクトであるため、保管が容易であるばかりでなく、デスク上でペーパーウェイトやオブジェとしての利用が可能である。
【００３２】
図６はキーボードのもたせ掛け倒立状態を示す正面図である。キーボードスタンド１０はモニター装置６０のスタンドの底板の先端に置かれており、せり出し防止部２０を手前にしてキーボード５０をモニター装置６０の前面にもたせ掛けている。そのとき信号ケーブル５５をキーボードスタンド１０の厚さを利用して横に逃がしている。またキーボードスタンド１０はモニター装置６０のスタンドの底板の周辺に置いて使用することができる。
【００３３】
図７はキーボードのもたせ掛け倒立状態を示す側面図である。キーボードスタンド１０はモニター装置６０のスタンドの底板の先端に置かれており、キーボード５０は据置面４０の傾斜に従って安定的にモニター装置６０の前面にもたせ掛けられている。キーボード５０の据置面４０との接触部分が滑りやすい形状をしている場合、キーボード５０は、据置面４０を下向きに滑りキーボードスタンド１０から落下する可能性がある。そのため下部面４２を水平または据置面４０と逆傾斜とすることで、キーボード５０の落下の防止を図っている。尚、上部面４１は嵌合を可能とするために下部面４２に対応する角度をもたせる。また、据置面４０とキーボードスタンド１０の底面にすべり止めの加工を施しても有効である。
【００３４】
図８は衝撃防止突起を示すキーボードの上面図である。例えば、小型板状のラバー質の衝突防止突起５１，５２を入力時に障害となりにくい位置であるキーボード５０の左右の縁の中央部付近に、小型円柱状のラバー質の衝突防止突起５３をカーソルキー５６の周辺に接合または当初より備え付けておく。それらの高さはキーよりも高めに設定しておき、キーボード５０をモニター装置にもたせ掛けたとき、キーがモニター装置６０の画面に衝突するのを防止する。
【符号の説明】
【００３５】
１０  キーボードスタンド
１１  嵌合したキーボードスタンド
２０  せり出し防止部
３０  収納穴
４０  据置面
４１  上部面
４２  下部面
５０  キーボード
５１  衝撃防止突起
５２  衝撃防止突起
５３  衝撃防止突起
５５  信号ケーブル
５６  カーソルキー
６０  モニター装置
【図１】
2014049064.tif 000003
【図２】
2014049064.tif 000004
【図３】
2014049064.tif 000005
【図４】
2014049064.tif 000006
【図５】
2014049064.tif 000007
【図６】
2014049064.tif 000008
【図７】
2014049064.tif 000009
【図８】
2014049064.tif 000010
【手続補正書】
【提出日】平成24年9月4日(2012.9.4)
【手続補正１】
【補正対象書類名】図面
【補正対象項目名】図７
【補正方法】変更
【補正の内容】
【図７】
2014049064.tif 000011